(57)【要約】【課題】床下に潜り込むことなく、床下の劣化を監視することの可能な床下診断器具を提供する。【解決手段】床下診断器具１０はＬ字型の木片であり、水平方向に延びる支持腕１１と、その端から垂下するプローブ１２とを備える。プローブ１２の長さを調整できるように、プローブ１２の下側部分には複数の切れ目１４が斜めに形成される。床下診断器具１０を床下換気口２１から挿入して布基礎２０に取り付け、内側に転倒しないように掛止部材１５で床下換気口２１に掛止する。数ヶ月後に取り外してプローブ１２を検診し、シロアリによる食害や腐朽の程度を評価する。【選択図】図４
2007082456.tif 000002
【特許請求の範囲】
【請求項１】
水平方向に延びる支持腕と、
前記支持腕の一方側から垂れ下がり、木材の生物劣化を検知するプローブとを備えたことを特徴とする床下診断器具。
【請求項２】
請求項１に記載の床下診断器具であって、
前記プローブは木材を主原料とする材料で形成されることを特徴とする床下診断器具。
【請求項３】
請求項１に記載の床下診断器具であって、
前記プローブは所定間隔でかつ横断方向に形成された複数の切れ目を有することを特徴とする床下診断器具。
【請求項４】
請求項３に記載の床下診断器具であって、
前記切れ目は水平方向に対して斜めに形成されていることを特徴とする床下診断器具。
【請求項５】
請求項１に記載の床下診断器具であって、
前記プローブは、
管と、
上端部分が前記管内に差し込まれた木製の棒とを含むことを特徴とする床下診断器具。
【請求項６】
請求項１に記載の床下診断器具であって、
前記支持腕は管で構成され、
前記床下診断器具はさらに、
前記管に挿通され、前記プローブに結合された紐を備えたことを特徴とする床下診断器具。
【請求項７】
請求項６に記載の床下診断器具であって、
前記プローブは、
管と、
上端部分が前記管内に差し込まれた木製の棒とを含み、
前記支持腕を構成する管は、横断方向に対してＸ度（０<Ｘ<９０）をなす端面を有し、
前記プローブの管は、横断方向に対して９０−Ｘ度をなす端面を有する、ことを特徴とする床下診断器具。
【請求項８】
請求項１に記載の床下診断器具であってさらに、
前記支持腕に設けられ、床下換気口に掛止される掛止部材を備えたことを特徴とする床下診断器具。
【請求項９】
請求項１〜請求項８のいずれか１項に記載の床下診断器具を用いた床下診断方法であって、
前記床下診断器具のプローブを床下換気口に挿入し、前記床下診断器具の掛止腕を換気口の下面上に横たわらせかつ前記プローブを床下換気口の内側壁面に当てながら前記プローブの先端を土壌に接触させることにより、前記床下診断器具を取り付けるステップと、
前記床下診断器具を取り付けてから所定期間経過後に前記床下診断器具を取り外すステップと、
前記取り外した床下診断器具のプローブで木材の生物劣化を検診するステップとを備えたことを特徴とする床下診断方法。
【発明の詳細な説明】
【技術分野】
【０００１】
本発明は、床下診断器具に関し、さらに詳しくは、戸建て住宅の床下を診断する床下診断器具に関する。
【背景技術】
【０００２】
木材で建築された戸建て住宅では、シロアリによる食害、木材腐朽菌による腐朽など、床下を中心に発生する木材の生物劣化が問題となる。このような生物劣化に対して講じられてきた対策は、以下の２つのケースに分けることができる。
【０００３】
１）新築住宅に講じる対策
住宅の新築時に、床下周囲の土壌や部材に防蟻・防腐薬剤を散布又は塗布したり、あるいは土台などの主要構造部材に防蟻・防腐薬剤注入したりする方法がある。また、防蟻・防湿シートなどで床下空間と周囲土壌を隔離する方法もある。これに類似する方法として、基礎全体を鉄筋コンクリート製にする方法（いわゆるベタ基礎）、床下土壌にコンクリートを流し込む方法（いわゆる土間コン）などもある。さらに、床下に調湿剤や換気扇を設置する方法もある。
【０００４】
２）既築住宅に講じる対策
床下周囲の土壌や部材に防蟻・防腐薬剤を散布又は塗布したり、穿孔注入したりする方法がある。また同様に、床下に調湿剤や換気扇を設置する方法もある。
【０００５】
しかしながら、これらの方法には以下の問題があり、生物劣化を半永久的に予防することは非常に難しい。
【０００６】
１）防蟻・防腐薬剤の効果が時間の経過とともに低下する。特に近年ではシックハウス対策や環境対策の面から、より低毒性の薬剤を限定的に使用することが求められているため、薬効発現の期間はより短くなる傾向にある。
【０００７】
２）予防措置が不十分又は不適切な場合がある。このことは限られた予算と時間で工事を行わなければならない事情から往々にして発生している。
【０００８】
３）台風、大雨、地震、地盤沈下などにより予防策が無効になる。
【０００９】
以上の事情を踏まえると、生物劣化を定期的に監視しながら、生物劣化を早期に発見し、早期に処置することが、住宅の寿命を経済的に延ばしうる最善の策である。
【００１０】
しかしながら、これまで住宅の維持管理の現場で見られる生物劣化対策といえば、顕在化したシロアリ被害や腐朽を化学薬品によって処置したり、劣化部位を補修したり、その後の予防措置をシロアリ防除業者やリフォーム業者が実施したりするしかなかった。定期的な点検による早期発見・早期処置に基づく維持管理の技術やサービスは、ほとんど発達していないのが現実である。
【００１１】
それでも、これまで住宅の生物劣化を監視したり、検出したりする装置は少なからず開発され、実用化されてきた。
【００１２】
たとえば、シロアリを検出する方法として、シロアリが木材を摂食する際に発生する微弱な超音波領域の弾性波であるアコースティックエミッションを検出するセンサ、超音波の反射、伝搬時間や減衰を利用して腐朽による木材内部の空洞などを検出するセンサ、電磁波を用いて腐朽などの木材内部の欠点を検出するレーダ、電気抵抗や電気容量を測定して木材の含水率を測定する小型装置、赤外線や電磁波でシロアリなどの動物を検出するセンサ、Ｘ線を用いて木材や木質構造物の内部の密度分布を探査する装置、衝撃的に鋼製のピンを打ち込み、その深さで内部の劣化を評価する装置、木材を細い回転錐で穿孔をした時の穿孔抵抗によって内部の劣化を評価する装置、抗原抗体反応によって木材腐朽菌を検出したり、遺伝子技術を利用して菌種を同定したりする方法などがある。
【００１３】
これらは、生物劣化の原因となる昆虫や菌類を検出する方法、生物劣化によって生じる部材の強度変化や生物劣化を誘引する環境パラメータを評価する方法に分類される。
【００１４】
いずれも維持管理の現場で使うことを想定して開発、実用化されたものであるが、性能、利便性、耐久性、価格などの面で一長一短があり、汎用的な器具や装置として普及しているものは少なく、一部の専門家が使用するにとどまっている。
【００１５】
一般家庭において生物劣化を監視する汎用的な器具については、開発事例は少ない。住宅周囲のシロアリの活性を監視しながら駆除する方法として、住宅周囲の土壌に木片（ベイト）を挿入した穴付のプラスチック製の小型円筒（ステーション）を埋設し、周囲の土壌からシロアリが円筒に侵入するのを定期的に監視し、ステーションに一定量のシロアリが集まったところで、木片を駆除剤入りのものに交換する手法が開発されている。この手法には、住宅周囲のシロアリ分布を監視する作業が含まれているが、純粋にシロアリを検出するものではなく、またステーションの管理は専門家の手に委ねられるものであり、一般消費者がシロアリ監視の道具として使う性質のものではない。
【００１６】
また木材腐朽については、現場で簡便的に検出評価する手法として、抗原抗体反応を利用した検出キットが開発されているが、操作や価格の点で問題がある。
【００１７】
また特開２００１−１６９７０８号公報（特許文献１）には、底板表面に害虫捕獲用粘着剤を塗布し、底板裏面にシロアリ検出用木片を貼着し、側面に腐朽用調査片を接着した床下診断ボックスが開示されている。このボックスを床下に設置して定期的に点検することにより、木片に発生するシロアリ食害や調査片に発生する木材腐朽から床下の劣化状態を診断・評価することができる。このボックスは簡便に床下の劣化を診断するのに適しているが、設置や点検のために点検口などから人が床下に潜り込む必要があるため、一般の人には使いにくい。
【特許文献１】特開２００１−１６９７０８号公報
【特許文献２】特開２００３−１４４０２９号公報
【特許文献３】特開平１１−８９５００号公報
【特許文献４】特開２００２−３３０６８４号公報
【特許文献５】特開平１０−５６９３５号公報
【発明の開示】
【発明が解決しようとする課題】
【００１８】
本発明の目的は、床下に潜り込むことなく、床下の劣化を監視することの可能な床下診断器具を提供することである。
【課題を解決するための手段及び発明の効果】
【００１９】
本発明による床下診断器具は、支持腕と、プローブとを備える。支持腕は、水平方向に延びる。プローブは、支持腕の一方側から垂れ下がり、木材の生物劣化を検知する。支持腕及びプローブは個別の部材で形成されていてもよいが、単一の部材で一体的に形成されていてもよい。
【００２０】
本発明によれば、床下診断器具を床下換気口から挿入して取り付け、床下の劣化を監視することができる。
【００２１】
好ましくは、プローブは木材を主原料とする材料で形成される。
【００２２】
この場合、プローブが住宅と同様に木材を主原料とする材料で形成されているので、住宅の劣化を正確に監視することができる。ただし、プローブに用いられる材料は、住宅に用いられている木材と同一樹種、同一個体である必要はない。
【００２３】
好ましくは、プローブは所定間隔でかつ横断方向に形成された複数の切れ目を有する。ここでいう横断方向はプローブの長手方向に対して垂直方向である必要はなく、斜め方向でもよい。
【００２４】
この場合、床下換気口の下方にある布基礎の高さが不明でも、プローブの先端を適当な切れ目で折り取ることにより、プローブの長さを適宜調整することができる。その結果、プローブの先端が床下土壌に軽く触れるか少し差し込まれる状態で床下診断器具を取り付けることができる。
【００２５】
好ましくは、切れ目は水平方向に対して斜めに形成されている。
【００２６】
この場合、プローブを切れ目で折り取ると、先端が鋭角になり、床下土壌に差し込みやすくなる。
【００２７】
好ましくは、プローブは、管と、木製の棒とを含む。棒の上端部分は、管内に差し込まれる。
【００２８】
この場合、床下換気口の隙間が小さくても、プローブは細いので、床下診断器具を挿入して取り付けることができる。
【００２９】
好ましくは、支持腕は管で構成される。床下診断器具はさらに、紐を備える。紐は、管に挿通され、プローブに結合される。紐としては、たとえば糸（凧糸等の縒り糸、釣り糸等のナイロン糸のように丈夫な糸が好ましい。）、ロープ、鎖、ピアノ線等の鋼線などを用いることができる。
【００３０】
この場合、床下換気口の隙間が小さな穴であっても、プローブや支持管の径よりも少し大きければ、床下診断器具を挿入して取り付けることができる。
【００３１】
好ましくは、プローブは、管と、木製の棒とを含む。棒の上端部分は管内に差し込まれる。支持腕を構成する管は、横断方向に対してＸ度（０<Ｘ<９０）をなす端面を有する。プローブの管は、横断方向に対して９０−Ｘ度をなす端面を有する。
【００３２】
この場合、紐を引っ張ると、支持腕を構成する管とプローブの管とは自然に９０度に接合するので、床下診断器具を確実に取り付けることができる。
【００３３】
好ましくは、床下診断器具はさらに、掛止部材を備える。掛止部材は、支持腕に設けられ、床下換気口に掛止される。
【００３４】
この場合、掛止部材が床下換気口に掛止されるので、床下診断器具が布基礎の内側に転倒するのを防止することができる。
【発明を実施するための最良の形態】
【００３５】
以下、図面を参照し、本発明の実施の形態を詳しく説明する。図中同一又は相当部分には同一符号を付してその説明は繰り返さない。
【００３６】
［第１の実施の形態］
図１（ａ）及び（ｂ）を参照して、本発明の第１の実施の形態による床下診断器具１０は概略Ｌ字型の木片で構成される。具体的には、床下診断器具１０は、水平方向に延びる支持腕１１と、生物劣化を検知するためのプローブ１２とを備える。プローブ１２は、支持腕１１の一端から垂れ下がっている。支持腕１１及びプローブ１２は木製で、それぞれ細い長方形に加工されている。支持腕１１及びプローブ１２の端部にはそれぞれ段差１３が形成され、接着剤等で貼り合わされている。プローブ１２の材質を木材としたのは、これに発生したシロアリ食害や腐朽から床下の劣化状態を判定するためである。本例では、床下診断器具１０は貼り合わせた２枚の木板で構成されているが、Ｌ字型に加工した１枚の木板で構成されていてもよい。
【００３７】
支持腕１１の長さＬ１は１００〜２００ｍｍ、好ましくは１６５ｍｍで、布基礎の一般的な幅と同程度になっている。プローブ１２の長さＬ２は２５０〜３５０ｍｍ、好ましくは３００ｍｍで、床下換気口よりも下方にある布基礎の一般的な高さよりも長めになっている。支持腕１１及びプローブ１２の幅Ｗは約１５〜２５ｍｍ、厚さＴは約３〜５ｍｍで、床下換気口の隙間（スリット）から挿入できるサイズになっている。
【００３８】
図２に拡大して示すように、プローブ１２の下部には、先端を手で折り取ってプローブ１２の長さを適宜調整できるように、複数の切れ目１４が形成されている。切れ目１４は所定間隔Ｐでかつ水平方向に対して斜めに形成されている。切れ目１４は、具体的には、約１ｃｍ間隔で斜め４５度に形成され、矩形の横断面を有する溝である。溝の幅ｗは約１ｍｍで、深さｄは約０．５ｍｍである。プローブ１２の先端を切れ目１４で折り取ると鋭角になるので、床下土壌に差し込みやすくなる。
【００３９】
本例では、切れ目１４はプローブ１２の片面だけに形成されているが、両面に形成されていてもよい。また、切れ目１４の横断面はＶ字型などでもよく、その形状は特に限定されない。また、切れ目１４は溝ではなく、所定間隔で穿孔をしてミシン目（切り取り点線）を形成してもよい。また本例では、プローブ１２の先端は矩形になっているが、最下の切れ目１４で先端の三角形部分をあらかじめ折り取っておき、最初から先端を鋭角に仕上げておいてもよい。
【００４０】
図３に拡大して示すように、床下診断器具１０はさらに、床下換気口に掛止される掛止部材１５を備える。支持腕１１の中央付近には平ゴム１６が巻回され、掛止部材１５は支持腕１１の両側の平ゴム１６上にそれぞれ貼着されている。掛止部材１５は、矩形のベース板１５１と、ベース板１５１に突設されたフック１５２とから構成されている。
【００４１】
次に図４を参照し、床下診断器具１０を用いた床下診断方法を説明する。
【００４２】
一般に、布基礎２０には、床下空間の通風性をよくするために床下換気口２１が形成されている。床下換気口２１には幅１０ｍｍ前後のスリットが縦方向に形成されている。床下換気口２１よりも下方に位置する布基礎２０の高さＨは約２８０〜３００ｍｍである。
【００４３】
床下診断器具１０を用いて床下の劣化を診断するためには、まず、プローブ１２の先端を床下換気口２１のスリットに挿入し、支持腕１１を布基礎２０の上面（床下換気口２１の下方側面）に横たわらせ、かつ、プローブ１２を布基礎２０の内側壁面に当てながら先端を床下土壌２２に軽く接触させるか少し差し込むことにより、床下診断器具１０を取り付ける。
【００４４】
布基礎２０の高さＨは外側から見てもわからないので、最初はプローブ１２の長さＬ２を長めにしておいて、とりあえず床下診断器具１０を取り付けてみる。そして、プローブ１２の先端が床下土壌２２に接触したとき、支持腕１１と布基礎２０の上面との間の距離を目測し、その距離を目安にプローブ１２の先端を適当な切れ目１４で折り取ってプローブ１２の長さＬ２を調整する。
【００４５】
支持腕１１の中央付近には掛止部材１５が設けられているので、床下診断器具１０が布基礎２０の内側に転倒することはない。また、掛止部材１５は平ゴム１６上に貼着されているので、多少の衝撃力が加わっても平ゴム１６で吸収され、掛止部材１５が剥がれることもない。
【００４６】
床下診断器具１０を取り付けてから所定期間経過後に、たとえば数ヶ月〜１年経過後に床下診断器具１０を取り外す。そして、取り外した床下診断器具１０のプローブ１２の生物劣化を検診する。具体的には、プローブ１２を目視で観察し、シロアリによる食害、木材腐朽菌による腐朽、カビが見られないかを判定する。判定は住宅所有者自身で行うようにしてもよいが、より正確な判定を行うために、専門家が行うようにしてもよい。正確かつ客観的な判定を行うためには、食害、腐朽、カビの状態を現した写真やイラスト等の見本をあらかじめ用意しておき、見本と実際のプローブ１２の状態を比較するのが好ましい。このようにすれば、劣化状態を段階的に評価することができる。
【００４７】
具体的には、プローブ１２に付着した腐朽菌（菌糸や子実体）によって床下部材の腐朽を判定する。腐朽菌の菌糸は床下空間に浮遊しており、プローブ１２にも床下部材にも付着する可能性がある。また腐朽菌が発芽し、菌糸を増殖させながら木材を腐朽させるのに必要となる水分についても、プローブ１２と床下部材との間に差はほとんどないと考えられる。したがって、プローブ１２に発生した腐朽によって床下部材の劣化状態も評価することができる。木材腐朽菌以外の菌類の発生を抑制するために、プローブ１２にはあらかじめ特定の防カビ剤などを塗布しておき、木材腐朽菌のみを選択的に検出するようにしてもよい。
【００４８】
上記に加え、プローブ１２の含水率を測定してもよい。シロアリ食害や腐朽を促進する要因となる木材含水率は、プローブ１２の重量によって評価する。目視や触診によってプローブ１２の湿り具合を判定してもよいが、含水率を含水率計で測定してもよい。また、床下診断器具１０の重量を測定し、重量から含水率を計算で求めるようにしてもよい。具体的には、床下診断器具１０を取り付ける前の重量を測定しておき、さらに床下診断器具１０を取り外した後の重量を測定する。含水率の測定誤差を小さくするためには、無関係な支持腕１１を取り除き、プローブ１２だけの重量を計測するのが好ましい。
【００４９】
最も正確な含水率の測定は、絶乾法に基づくもので、プローブ１２を乾燥路で恒量になるまで乾燥し、乾燥前後の重量差の重量に対する百分率を含水率として評価する方法である。プローブ１２の乾燥重量があらかじめわかっている場合には、検査時の重量から含水率を計算で求めることができる。また、電気抵抗式の水分センサなどで計測してもよい。
【００５０】
以上、本発明の第１の実施の形態によれば、住宅所有者自身でも床下の劣化状態を診断・評価することができる。また、床下診断器具１０は比較的長期にわたって床下換気口に軽く固定される構造になっているため、点検のために簡単に取り外すことができ、また点検後は元通りに取り付けることができる。
【００５１】
また、プローブ１２を布基礎２０の内側壁面に沿うように設置しているため、シロアリを的確に捕捉することができる。シロアリ被害の多くは、シロアリが床下土壌２２から布基礎２０の内側壁面を這い上がって住宅に侵入することによって発生するためである。また、住宅周囲の土壌に生息するシロアリは土壌中で布基礎２０に遭遇すると、布基礎２０に沿って地表近くを移動するため、周囲土壌のシロアリも検出することが可能である。
【００５２】
［第２の実施の形態］
図５を参照して、本発明の第２の実施の形態による床下診断器具３０は、ステンレス製の管をＬ字型に曲げた支持管３１と、細長い木製の丸棒３２と、掛止部材３３とを備える。支持管３１の水平部分が支持腕を構成する。丸棒３２の上端部分は支持管３１の垂直部分に差し込まれている。支持管３１の垂直部分及び丸棒３２がプローブを構成する。本例では、支持管３１はステンレス製であるが、樹脂製でもよい。
【００５３】
支持管３１の水平部分（支持腕）の長さＬ１は１００〜２００ｍｍ、具体的には１６５ｍｍである。丸棒３２及び支持管３１の垂直部分、つまりプローブの長さＬ２は２５０〜３５０ｍｍ、具体的には３００ｍｍである。支持管３１の外径は約４ｍｍで、内径は約３．５ｍｍである。丸棒３２の径は約３ｍｍである。
【００５４】
図６に拡大して示すように、上記第１の実施の形態と同様に、丸棒３２の下側部分には複数の切れ目３４が斜めに形成されている。ただし本例では、切れ目３４は細い丸棒３２に形成されているため、斜めに形成されていなくてもよい。また本例では、切れ目３４は丸棒の両側面に形成されているが、片方の側面だけに形成されていてもよい。
【００５５】
図７に拡大して示すように、支持管３１の水平部分の中央付近には掛止部材３３が回動可能に差し込まれている。掛止部材３３はスポンジやゴム等の弾性材料で構成され、その両側に切り込み３５が入れられている。
【００５６】
図８に示すように、第２の実施の形態による床下診断器具３０も上記第１の実施の形態と同じ方法で床下換気口２１から挿入して取り付ける。このとき、最初は掛止部材３３を回動して縦方向にしておき、床下換気口２１のスリットに押し込み、床下診断器具３０を位置決めした後に、図９に示すように、掛止部材３３を９０度回動させ、両側の切り込み３５で床下換気口の格子３６を挟むことにより、床下診断器具３０を床下換気口２１に掛止する。
【００５７】
この第２の実施の形態によれば、支持管３１及び丸棒３２が断面円形で細いので、床下換気口のスリットが小さく、たとえば菱形の格子であっても、床下診断器具３０を挿入し、取り付けることができる。
【００５８】
本例では、丸棒３２に切れ目３４を形成しているが、これの代わりに、丸棒３２を支持管３１の垂直部分に差し込む量（長さ）を変えることにより、プローブの全長を調整するようにしてもよい。この場合、プローブの全長を調整して決定した後、丸棒３２を差し込んだ支持管３１の端部をかしめておけば、丸棒３２が支持管３１から出入りしてプローブの全長が変化するのを防止することができる。
【００５９】
［第３の実施の形態］
図１０に示すように、上記第２の実施の形態における管の代わりに棒４０を用い、Ｌ字型に曲げた棒４０の先端を木製の角棒４１に差し込んだものでもよい。なお、角棒４１の先端は土壌に差し込みやすいように鋭角に加工されている。
【００６０】
［第４の実施の形態］
図１１〜図１３に示すように、第４の実施の形態は、上記第２の実施の形態における支持管３１を屈曲箇所で切断して水平管５１及び垂直管５２の２つに分離し、丸棒３２の上端に紐５３を結合し、その紐５３を垂直管５２に挿通し、さらに水平管５１に挿通したものである。
【００６１】
図１２に示すように、水平管５１は、横断方向に対して約４５度をなす端面５４を有する。垂直管５２もまた、横断方向に対して約４５度をなす端面５５を有する。図１３に示すように、丸棒３２の上端面にはＯ字型金具５６をねじ込んで取り付け、Ｏ字型金具５６に紐５３を結び付ける。紐５３は垂直管５２及び水平管５１に挿通され、その他方端は抜け止め用のリング５７に結び付けられる。
【００６２】
本例では、水平管５１と垂直管５２の径が同じであるため、端面５４，５５の角度は４５度が好ましいが、径が違う場合には、たとえば一方の端面の角度を３０度にし、他方の端面の角度を６０度としてもよい。また、Ｏ字型金具５６に紐５３を結び付けているが、丸棒３２の上部に貫通孔を形成し、そこに紐５３を挿通して結び付けてもよい。また、紐５３は丸棒３２に結び付けなくても、垂直管５２の内壁に固着したり、垂直管５２と丸棒３２との間に挟み込んで固定したりしてもよい。
【００６３】
第４の実施の形態による床下診断器具５０を取り付けるためには、図１４に示すように、丸棒３２及び垂直管５２を床下換気口２１から挿入し、布基礎２０の内側壁面に沿って下向きに垂らす。
【００６４】
端面５４を下向きにした状態で水平管５１を水平に位置決めした後、紐５３を引っ張ると、水平管５１の端面５４及び垂直管５２の端面５５はそれぞれ４５度に切断されているため、水平管５１及び垂直管５２は自然に直角に接合する。
【００６５】
この状態で掛止部材３３を９０度回動して水平管５１を床下換気口２１に掛止し、さらに引っ張った紐５３を水平管５１の端部に形成した切り欠き５８に差し込んで固定する。
【００６６】
この第４の実施の形態によれば、上記第１〜第３の実施の形態のように全体形状がＬ字型に固定されていないので、床下診断器具５０を床下換気口のスリットに挿入する際に回転させる必要がなく、スリットの形状にほとんど制約されることがない。しかも、紐５３を引っ張ると、水平管５１及び垂直管５２は自然に直角に接合するので、床下診断器具５０を取り付けた状態は上記第３の実施の形態と同じになる。
【００６７】
本例でも、丸棒３２に切れ目３４を形成する代わりに、丸棒３２を垂直管５２に差し込む量を変えることにより、プローブの全長を調整するようにしてもよい。この場合、紐５３を引っ張れば、丸棒３２の差し込み量が多くなり、その結果、プローブの全長を短くすることができる。
【００６８】
上記実施の形態ではプローブに木材を用いたが、紙やセルロース繊維を代わりに用いてもよく、要するに、木材で建築された住宅の床下劣化を評価できればよいので、プローブは木材を主原料とする材料で形成すればよい。また、プローブの少なくとも先端が木製であればよく、プローブの上側部分や支持腕は木製である必要は全くない。
【００６９】
また、上記実施の形態はＬ字型をなしているが、支持腕の先端部分に何らかの突出部分が付加的に設けられ、その結果、たとえばＴ字型をなしていてもよい。
【００７０】
また、金属製の丸棒（直径３〜５ｍｍ程度）をＬ字型に曲げたものの先端にモニタ用の木片を取り付けたものをプローブとしてもよい。金属丸棒は木片に差し込み、木片に密着するように加工したものとする。シロアリ食害によるＡＥ（アコースティックエミッション）波が木片から金属丸棒に伝搬するので、丸棒の他方の先端にＡＥセンサを装着しておくと、床下診断器具を取り外すことなく、またシロアリを刺激することなく、シロアリ食害の進行を検出することができる。また、金属丸棒の代わりにパイプを用い、末端をゴム栓などで封をしておくと、シロアリや木材腐朽菌から発生する水素などのガスがパイプ内に蓄積する。これを抜き取りガスセンサで計測することにより、シロアリ食害や木材腐朽を検出することができる。
【００７１】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【００７２】
【図１】（ａ）は本発明の第１の実施の形態による床下診断器具の外観構成を示す正面図であり、（ｂ）は（ａ）の右側面図である。
【図２】図１に示した床下診断器具におけるプローブの拡大斜視図である。
【図３】図１に示した床下診断器具における掛止部材の拡大斜視図である。
【図４】図１に示した床下診断器具の取り付け方法を説明するための図である。
【図５】本発明の第２の実施の形態による床下診断器具の外観構成を示す正面図である。
【図６】図５に示した床下診断器具におけるプローブの拡大斜視図である。
【図７】図５に示した床下診断器具における掛止部材の拡大斜視図である。
【図８】図５に示した床下診断器具の取り付け方法を説明するための図である。
【図９】図５に示した床下診断器具を床下換気口に掛止する方法を説明するための斜視図である。
【図１０】本発明の第３の実施の形態による床下診断器具の外観構成を示す正面図である。
【図１１】本発明の第４の実施の形態による床下診断器具の外観構成を示す正面図である。
【図１２】図１１に示した床下診断器具の斜視図である。
【図１３】図１１に示した床下診断器具における紐の結合箇所を示す一部破砕斜視図である。
【図１４】図１１に示した床下診断器具の取り付け方法を説明するための図である。
【符号の説明】
【００７３】
１０，３０，５０  床下診断器具
１１  支持腕
１２  プローブ
１４，３４  切れ目
１５，３３  掛止部材
２０  布基礎
２１  床下換気口
２２  床下土壌
３１  支持管
３２  丸棒
５１  水平管
５２  垂直管
５３  紐
５４，５５  端面
【図１】
2007082456.tif 000003
【図２】
2007082456.tif 000004
【図３】
2007082456.tif 000005
【図４】
2007082456.tif 000006
【図５】
2007082456.tif 000007
【図６】
2007082456.tif 000008
【図７】
2007082456.tif 000009
【図８】
2007082456.tif 000010
【図９】
2007082456.tif 000011
【図１０】
2007082456.tif 000012
【図１１】
2007082456.tif 000013
【図１２】
2007082456.tif 000014
【図１３】
2007082456.tif 000015
【図１４】
2007082456.tif 000016
【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
床下換気口の下面上に横たわるように水平方向に延びる支持腕と、
床下換気口の内側壁面に当たりながらその先端が土壌に接触するように前記支持腕の一方側から垂れ下がり、木材の生物劣化を検知するプローブとを備えたことを特徴とする床下診断器具。
【請求項２】
請求項１に記載の床下診断器具であって、
前記プローブは木材を主原料とする材料で形成されることを特徴とする床下診断器具。
【請求項３】
請求項１に記載の床下診断器具であって、
前記支持腕は管で構成され、
前記床下診断器具はさらに、
前記管に挿通され、前記プローブに結合された紐を備えたことを特徴とする床下診断器具。
【請求項４】
水平方向に延びる支持腕と、
前記支持腕の一方側から垂れ下がり、木材の生物劣化を検知するプローブとを備え、
前記プローブは所定間隔でかつ横断方向に形成された複数の切れ目を有することを特徴とする床下診断器具。
【請求項５】
請求項４に記載の床下診断器具であって、
前記切れ目は水平方向に対して斜めに形成されていることを特徴とする床下診断器具。
【請求項６】
水平方向に延びる支持腕と、
前記支持腕の一方側から垂れ下がり、木材の生物劣化を検知するプローブとを備え、
前記プローブは、
管と、
上端部分が前記管内に差し込まれた木製の棒とを含むことを特徴とする床下診断器具。
【請求項７】
水平方向に延びる支持腕と、
前記支持腕の一方側から垂れ下がり、木材の生物劣化を検知するプローブとを備え、
前記支持腕は管で構成され、
前記床下診断器具はさらに、
前記管に挿通され、前記プローブに結合された紐を備え、
前記プローブは、
管と、
上端部分が前記管内に差し込まれた木製の棒とを含み、
前記支持腕を構成する管は、横断方向に対してＸ度（０＜Ｘ＜９０）をなす端面を有し、
前記プローブの管は、横断方向に対して９０−Ｘ度をなす端面を有する、ことを特徴とする床下診断器具。
【請求項８】
水平方向に延びる支持腕と、
前記支持腕の一方側から垂れ下がり、木材の生物劣化を検知するプローブと、
前記支持腕に設けられ、床下換気口に掛止される掛止部材とを備えたことを特徴とする床下診断器具。
【請求項９】
水平方向に延びる支持腕と、前記支持腕の一方側から垂れ下がり、木材の生物劣化を検知するプローブとを備えた床下診断器具を用いた床下診断方法であって、
前記床下診断器具のプローブを床下換気口に挿入し、前記床下診断器具の支持腕を床下換気口の下面上に横たわらせかつ前記プローブを床下換気口の内側壁面に当てながら前記プローブの先端を土壌に接触させることにより、前記床下診断器具を取り付けるステップと、
前記床下診断器具を取り付けてから所定期間経過後に前記床下診断器具を取り外すステップと、
前記取り外した床下診断器具のプローブで木材の生物劣化を検診するステップとを備えたことを特徴とする床下診断方法。
【手続補正２】
【補正対象書類名】明細書
【補正対象項目名】００１９
【補正方法】変更
【補正の内容】
【００１９】
本発明による床下診断器具は、支持腕と、プローブとを備える。支持腕は、床下換気口の下面上に横たわるように水平方向に延びる。プローブは、床下換気口の内側壁面に当たりながらその先端が土壌に接触するように支持腕の一方側から垂れ下がり、木材の生物劣化を検知する。支持腕及びプローブは個別の部材で形成されていてもよいが、単一の部材で一体的に形成されていてもよい。